(57)【要約】【課題】片手に持って使用する小形軽量のハンディクリーナについて、充電式バッテリの取り付け形態に加えてハンドル部の機能性及び利便性を一層高める。【解決手段】ループ形のハンドル部１６の表面をエラストマ樹脂製のカバー３０で覆うことにより、滑り止め機能を発揮させるとともに、エラストマ樹脂特有のしっくり感を手に持たせることにより、ハンディクリーナ１０の機能性及び利便性を高めるとともに、商品としての付加価値を高める。また、ハンドル部１６の上面を緩やかな円弧形状にし、小指側ほど細くするとともに、その内周後端部に小指ホールド部３２ｅを設けてそのホールド性を一層高める。【選択図】図８
2010220632.tif 000002
【特許請求の範囲】
【請求項１】
手に持って使用するハンディクリーナであって、使用者が把持するループ形状のハンドル部を有し、該ハンドル部にエラストマ樹脂製のカバーを取り付けたハンディクリーナ。
【請求項２】
請求項１記載のハンディクリーナであって、前記カバーは、前記ハンドル部の上面を覆う上面部を有するハンディクリーナ。
【請求項３】
請求項２記載のハンディクリーナであって、前記上面部は、前記ハンドル部の長手方向全長にわたる範囲を覆うハンディクリーナ。
【請求項４】
請求項１〜３のいずれか１項に記載したハンディクリーナであって、前記カバーは、前記ハンドル部の内周について後部側の半周に至る範囲を覆う内周部を有するハンディクリーナ。
【請求項５】
請求項４記載に記載したハンディクリーナであって、前記ハンドル部の内周側前部に、当該ハンディクリーナの起動操作をするためのスイッチレバーを備え、前記内周部は、該スイッチレバーの周囲に至る範囲を覆うハンディクリーナ。
【請求項６】
請求項１〜５のいずれか１項に記載したハンディクリーナであって、前記ハンドル部の下部に沿って、当該ハンディクリーナの電源としてのバッテリパックを取り付けるためのバッテリ取り付け部を左右側方に張り出す状態で備え、前記カバーは、該バッテリ取り付け部の左右側部を覆う張り出し部を有するハンディクリーナ。
【請求項７】
請求項１〜６のいずれか１項に記載したハンディクリーナであって、前記ハンドル部の上面が把持した手の平に合わせて前後方向に緩やかな円弧面に形成されたハンディクリーナ。
【請求項８】
請求項７記載のハンディクリーナであって、前記ハンドル部の上面中央について半径Ｒ１＝２０７ｍｍ、上面前部について半径Ｒ２＝９６ｍｍ、上面後部について半径Ｒ３＝７３ｍｍの円弧面を連続的に形成したハンディクリーナ。
【請求項９】
請求項１〜８のいずれか１項に記載したハンディクリーナであって、前記ハンドル部の太さが後部側に至るほど細くなって、前部と後部の太さの比率が０．８６に設定されたハンディクリーナ。
【請求項１０】
請求項９記載のハンディクリーナであって、前記ハンドル部のループ内周側の後端部に、把持した手の小指の付け根に合わせて半径Ｒ４＝１１ｍｍの半円弧面をなす小指ホールド部を設けたハンディクリーナ。
【請求項１１】
手に持って使用するハンディクリーナであって、使用者が把持するループ形状のハンドル部を有し、該ハンドル部の上面が把持した手の平に合わせて前後方向に緩やかな円弧面に形成されるとともに後部側に至るほど細くなっており、かつループ内周側の後端部に、把持した手の小指の付け根に合わせた半円弧形状の小指ホールド部を設けたハンディクリーナ。
【発明の詳細な説明】
【技術分野】
【０００１】
この発明は、例えばハンディクリーナと称される小形の手持ち式掃除機に関する。
【背景技術】
【０００２】
一般に、ハンディクリーナは、その利便性を考慮して直流電源式のものが多く提供されている。ハンディクリーナの電源には、充電して繰り返し使用可能なバッテリパックが用いられている。ハンディクリーナのバッテリパックに関する技術が例えば下記の特許文献に開示されている。
これら特許文献に開示されているように従来、バッテリパックは、本体ハウジングの後部に設けたバッテリ取り出し口を経て取り付け、取り外しすることができる。バッテリパックは、バッテリ取り出し口から差し込んで取り付ければ、本体ハウジング内の電源回路に電気的に接続される。この取り付け状態では、バッテリパックは駆動モータや回路基板等と同様内蔵（組み込み）部品として本体ハウジング内に組み込まれた状態となる。このため、バッテリ取り出し口は蓋で閉じられて、取り付けたバッテリパックは外部から見えない状態となる。逆に、このバッテリパックは、蓋を外して本体ハウジングから取り外し、別途用意した充電器で充電すれば繰り返し使用することができる。
この内部組み込み形式では、蓋の開閉操作が面倒で、取り外した蓋を紛失するおそれもあり、またバッテリパックを本体ハウジング内に収容する必要上クリーナの小型化を図ることが困難になる。このため、近年では例えばハンドル部の下部に沿ってスライドさせることにより着脱可能とするカートリッジ形式のものが提供されている。
また、この充電式のバッテリパックは、上記ハンディクリーナに限らず、例えば穴明け加工用の電気ドライバ等の電動工具の電源としても多数用いられている。近年、この種の電動工具のバッテリパックには、ニッケル−カドミウム電池に加えてより軽量なリチウムイオン電池が用いられるようになっている。
【先行技術文献】
【特許文献】
【０００３】
【特許文献１】実開昭６１−１９８６４６号公報
【特許文献２】特開昭６３−２４０８１５号公報
【特許文献３】特開昭６３−２９６７２１号公報
【発明の概要】
【発明が解決しようとする課題】
【０００４】
このように、従来ハンディクリーナのバッテリパックの取り付け形態について、様々な改良が施されており、これに合わせてハンドル部についてもより改良を施す必要がある。特に、バッテリパックの装着形態を上記のカートリッジ式とした場合に、当該装着形態により適合したハンドル部を提供することにより、当該ハンディクリーナの機能性及び利便性がより発揮され得るようにする必要がある。
そこで、本発明は、特にカートリッジ式のバッテリパックを備える場合に好適なハンドル部であって、ハンディクリーナの機能性及び利便性を一層発揮し得るハンドル部を提供することを目的とする。
【課題を解決するための手段】
【０００５】
このため、本発明は、特許請求の範囲の各請求項に記載した構成のハンディクリーナとした。
請求項１記載のハンディクリーナによれば、ハンドル部がループ形を有しているので、その使用時及び持ち運び時の双方についてその機能性及び利便性を発揮させることができる。しかも、このハンドル部の表面がエラストマ樹脂製のカバーで覆われているので、使用者の把持感を損なうことなく十分な滑り止め機能を持たせつつ、持った時に手にしっくり来るハンドル部とすることができ、この点で当該ハンディクリーナの機能性及び利便性を一層高めることができる。
カバーは、ハンドル部の全体を覆う状態に取り付ける場合の他、使用者の手の平や指先が接触する部位について局部的に取り付ける構成とすることができる。
請求項２記載のハンディクリーナによれば、主として手の平が接触する部位について、把持したときの滑り止め機能を持たせ、またしっくり感を高めることができる。
請求項３記載のハンディクリーナによれば、親指を前方へ延ばして把持した時の手の平と親指の滑り止め機能及びしっくり感を持たせることができる。
請求項４記載のハンディクリーナによれば、把持した手の主として指先の滑り止め機能及びしっくり感を持たせることができる。
請求項５記載のハンディクリーナによれば、把持した手の例えば人差し指でスイッチレバーを引き操作することにより当該ハンディクリーナの起動停止操作をすることができ、かつその人差し指の引き操作時における滑り止め機能及びしっくり感を持たせることができる。
請求項６記載のハンディクリーナによれば、比較的重量の大きなバッテリパックの近傍で当該ハンディクリーナを支える（把持する）ため、使用者はさほど重量感を感ずることなく当該ハンディクリーナを取り扱いことができる。しかも、ハンドル部よりも左右に幅広のバッテリ取り付け部の両側部がエラストマ樹脂製のカバー（左右張り出し部）で覆われているので、当該ハンディクリーナを横倒し状態で置いた場合あるいはハンドル部を把持して持ち運ぶ場合の傷つきを防止することができる。さらに、バッテリパックの取り付け、取り外しをするために、使用者が一方の手でバッテリ取り付け部の左右側部を挟み込んで把持し、他方の手でバッテリパックをスライドさせる場合に、カバーの左右張り出し部に滑り止め機能を持たせることができ、この点でも当該ハンディクリーナの機能性及び利便性を一層高めることができる。
【０００６】
請求項７記載のハンディクリーナによれば、ハンドル部の把持しやすさ（機能性）を高めることができる。また、手の平に合わせた円弧面に形成されて把持しやくすなっていることから、長時間把持しても疲れが少なく、この点でも当該ハンディクリーナの機能性を高めることができる。
請求項８記載のハンディクリーナによれば、例えば一般的な成人の手に合わせた円弧面とすることができる。
請求項９記載のハンディクリーナによれば、当該ハンドル部のグリップ感を高めることができ、この点でハンディクリーナの機能性を一層高めることができる。
請求項１０記載のハンディクリーナによれば、ループ内周側に差し入れた小指の付け根が円弧形状のホールド部に受けられ、またこのホールド部のエラストマカバーにしっくりと押し付けられることにより、当該ハンドル部のホールド性を高めることができる。
請求項１１記載のハンディクリーナによれば、ハンドル部を把持した使用者の手の平になじみやすく、かつ後部側が細くなることにより小指も含めた５本の指でしっかりと握ることができるとともに、小指の付け根部分が内周後端部の小指ホールド部に受けられて使用者は一層良好なホールド感を持って把持することができ、これらの点で当該ハンドル部ひいてはハンディクリーナの機能性及び利便性を一層高めることができ、商品としての付加価値を高めることができる。
【図面の簡単な説明】
【０００７】
【図１】本発明の実施形態に係るハンディクリーナの全体斜視図である。
【図２】本発明の実施形態に係るハンディクリーナを図１中矢印(II)方向から見た左側面図である。本図では、ハンドル部を把持した使用者の右手が二点鎖線で示されている。
【図３】本発明の実施形態に係るハンディクリーナを図１中矢印(III)方向から見た右側面図である。
【図４】本発明の実施形態に係るハンディクリーナを図１中矢印(IV)方向から見た平面図である。
【図５】本発明の実施形態に係るハンディクリーナの全体側面図である。本図では、バッテリパックを取り外した状態で示されている。
【図６】バッテリ取り付け部を図５中矢印(VI)方向から見た下面図である。
【図７】バッテリパック単体の斜視図である。
【図８】ハンドル部の拡大図である。
【発明を実施するための形態】
【０００８】
次に、本発明の実施形態を図１〜図８に基づいて説明する。本実施形態に係るハンディクリーナ１０は、例えば自動車の室内清掃や小部屋の簡易な清掃等をする場合に、使用者が片手で持って簡単に使用することができる小形且つ軽量の充電式掃除機であり、主として使用者が把持するハンドル部１６に特徴を有している。クリーナ本体１１の内部構造等については従来公知の構成であり、本実施形態において特に変更を要しないので詳細な説明を省略する。
図１〜図４は、本実施形態に係るハンディクリーナ１０を示している。このハンディクリーナ１０は、クリーナ本体１１から取り外して充電することにより再使用可能なバッテリパック２０を電源として備えている。クリーナ本体１１は、バッテリパック２０を電源として駆動する電動モータ（図示省略）とこの電動モータにより回転するファンを主体とする吸引機構（図示省略）を本体ハウジング１４に内蔵している。本体ハウジング１４の先端部に吸塵口１５を備えている。本体ハウジング１４の前側半分は、吸引したゴミ等を廃棄するために取り外すことができる。
本体ハウジング１４の後部には、使用者が把持するループ形のハンドル部１６が設けられている。このハンドル部１６の内周側には、使用者が指先で引き操作するスイッチレバー１７が設けられている。このスイッチレバー１７を図示上側へ引き操作すると、電動モータ１２が起動して吸塵口１５から粉塵等を吸引することができる。また、ハンドル部１６の後部には吊り下げ用のストラップ１６ａが取り付けられ、前部には暗所での清掃時に便利な照明具１６ｂが備え付けられている。図示するようにこの照明具１６ｂは、ハンドル部１６の前面であって前方に障害物がない部位に出っ張らない状態に組み込まれている。この照明具１６ｂによって主として吸塵口１５の周辺が明るく照らされる。この照明具１６ｂの光源にはＬＥＤ（発光ダイオード）が用いられている。ＬＥＤに代えて電球を用いてもよい。この照明具１６ｂの電源としてもバッテリパック２０が利用される。
このハンドル部１６の下面側に、バッテリパック２０を装着するためのバッテリ取り付け部１８が設けられている。このバッテリ取り付け部１８は、ハンドル部１６の下部に沿って左右に張り出す状態に設けられている。このバッテリ取り付け部１８の前側には、排気口１９が設けられている。
【０００９】
ハンドル部１６は、このバッテリ取り付け部１８の上面から上方へループ形に張り出す状態に設けられている。ハンドル部１６は、このバッテリ取り付け部１８の上面を含めてループ形状を有している。図示するように本実施形態のハンドル部１６は、前後方向にやや長い扁平ループ形（長円形）を有している。
ハンドル部１６の後部は、バッテリ取り付け部１８の後部上面から上方へ立ち上がっている。一方、ハンドル部１６の前部は、本体ケース１４の前後長手方向のほぼ中央部上面から上方へ立ち上がっている。ハンドル部１６の内周側は、使用者が手を差し入れて把持し、かつ人差し指Ｆ２でスイッチレバー１７を引き操作するために十分なスペースが確保されている。
このハンドル部１６には、主として滑り止め用のカバー３０が取り付けられている。このカバー３０は、素材としてのエラストマ樹脂をインサート成形して当該ハンドル部１６の表面に貼り付けた状態に取り付けられている。なお、接着剤による貼り付け、あるいはビス止めのその他の手段によって取り付ける構成であってもよい。
このカバー３０は、ハンドル部１６の上面を覆う上面部３１と、内周側を覆う内周部３２と、バッテリ取り付け部１８の左右側部を覆う張り出し部３３Ｌ，３３Ｒを備えている。上面部３１と内周部３２と左右張り出し部３３Ｌ，３３Ｒは全てハンドル部１６の後部において繋がっている。従って、ハンドル部１６の後部側はほぼすべての範囲がカバー３０で覆われている。
上面部３１は、ハンドル部１６の長手方向全長にわたる範囲に取り付けられている。従って、ハンドル部１６の上面前部であって照明具１６の周囲もこの上面部３１によって覆われている。図２に示すように使用者が例えば右手（二点鎖線で示されている。）でこのハンドル部１６を把持した場合に、主としてその手の平がこの上面部３１に押し当てられる。また、図示するように親指Ｆ１を前方へ延ばして把持した場合にも親指Ｆ１がこの上面部３１に押し当てられる。上面部３１は、エラストマ樹脂を素材とすることから、手の平及び指先の滑り止めがなされるとともに、使用者にとって手の平及び指先の接触感がしっくりときて握りやすくなっている。
【００１０】
内周部３２は、ハンドル部１６の内周について後部側のほぼ半周に至る範囲を覆う状態に取り付けられている。この内周部３２は、ハンドル部１６の内周上面側を覆う天板部３２ａと下面側であってバッテリ取り付け部１８の上面の一部を覆う底面部３２ｂを有している。図２に示すように使用者が当該ハンドル部１６を把持した場合に、指先が天板部３２ａに押し当てられ、指の甲が底面部３２ｂに向けられて、その滑り止めがなされる。特に、天板部３２ａには半球状の小突起３２ｃ〜３２ｃが多数設けられて、その滑り止め機能が一層高められている。
また、天板部３２ａは、内周後部から前部に至る長い範囲に取り付けられて、スイッチレバー１７の周囲をも覆う状態に取り付けられている。このため、使用者が把持した手の人差し指Ｆ２で当該スイッチレバー１７を引き操作する場合においてもその滑り止め機能及びしっくり感を持たせることができる。特に、この天板部３２ａには、スイッチレバー１７の後ろ側に突き出す滑り止め突起３２ｄが一体に設けられている。この滑り止め突起３２ｄによって、スイッチレバー１７を引き操作した状態に保持する際の人差し指Ｆ２の滑り止めがなされる。また、この滑り止め突起３２ｄによってスイッチレバー１７の誤操作が防止される。
さらに、図２に示すようにハンドル部１６の内周側後部に当該カバー３０の内周部３２が取り付けられていることにより、把持した手の小指Ｆの付け根付近が当該内周部３２に押し付けられる。このため、特に当該ハンディクリーナ１０をハンドル部１６を把持して下向きにして持ち運ぶ場合に、小指Ｆの付け根付近が内周部３２にしっくりと押し当てられることから、この点でも使用者の良好な把持感が確保されている。
左右の張り出し部３３Ｌ，３３Ｒは、バッテリ取り付け部１８の左右側部に沿って取り付けられている。この左右の張り出し部３３Ｌ，３３Ｒによって、当該ハンディクリーナ１０を左側又は右側に横倒し状態で机上に置いた場合に、机の傷つきを防止することができる。また、バッテリパック２０をバッテリ取り付け部１８に対してスライドさせて取り付け、取り外しする場合に、使用者は例えば左手で当該バッテリ取り付け部１８の左右側部を挟み込むようにして把持することにより、この左右張り出し部３３Ｌ，３３Ｒを滑り止めとして機能させることができ、これによりクリーナ本体１１を確実に固定してバッテリパック２０の取り付け、取り外しを楽に行うことができる。
このカバー３０の周縁には、幅約１ｍｍ〜１．５ｍｍで深さ約０．５ｍｍ〜０．８ｍｍ程度の溝部３５が設けられている。本実施形態では、上面部３１と内周部３２と左右張り出し部３３Ｌ，３３Ｒの周囲全周（カバー３０の全周）に沿ってこの溝部３５が設けられている。この溝部３５の、特に上面部３１に沿った範囲及び天板部３２ａに沿った範囲によれば、当該溝部３５に指先が僅かに引っ掛かることによる滑り止め機能を持たせることができる。
【００１１】
図８には、ハンドル部１６の特徴についてさらに詳細に示されている。本実施形態に係るハンドル部１６の上面は、前後方向に緩やかな円弧面に形成されている。この円弧形状は、把持する使用者の手の平のグリップ感（ホールド感）を考慮して適切に設定されている。本実施形態では、ハンドル部１６の上面中央については、曲率半径Ｒ１＝約２０７ｍｍの円弧面に設定されている。また、その上面前部については、曲率半径Ｒ２＝約９６ｍｍの円弧面に設定されている。さらに、その上面後部については、曲率半径Ｒ３＝約７３ｍｍの円弧面に設定されてる。これら３つの曲率半径Ｒ１，Ｒ２，Ｒ３について前後方向になめらかに連続した円弧面に形成されており、これにより手の平にしっくりと来るグリップ感が持たせられている。
特に、本実施形態では、ハンドル部１６の上面にエラストマ製のカバー３０（上面部３１）が取り付けられていることから、一層手の平がしっくりと押し付けられてそのホールド感が高められている。なお、曲率半径Ｒ１，Ｒ２，Ｒ３の実際の寸法設定については、当該上面部のホールド性を損なわない範囲で手の平に合わせて変更することができる。例えば、曲率半径Ｒ１，Ｒ２，Ｒ３は、各数値の前後１割程度の範囲（Ｒ１＝約１８０ｍｍ〜２３０ｍｍ、Ｒ２＝約８５ｍｍ〜１１０ｍｍ、Ｒ３＝約６０ｍｍ〜８５ｍｍ）で変更することができる。
また、ハンドル部１６は、後部側へ向かって徐々に細くなっている。本実施形態では、把持した手の人差し指Ｆ２付近（前部側）の太さ（胴回り寸法）が約１１０ｍｍに設定され、小指Ｆ５付近（後部側）の太さ（胴回り寸法）が約９５ｍｍに設定されて、その比率（小指側太さ／人差し指側太さ）は約０．８６に設定されている。この前側の太さと後ろ側の太さの比率についても、前後１割程度の範囲（約０．７５〜０．９５）で任意に変更することができる。
このようにハンドル部１６を把持した手の人差し指Ｆ２側が太く、小指Ｆ５側が細くなっていることから、使用者は小指Ｆ５も含めた５本の指Ｆ１〜Ｆ５でしっかりとこのハンドル部１６を把持することができ、この点で当該ハンドル部１６のグリップ感及びホールド性を一層高めることができる。
【００１２】
さらに、ハンドル部１６の内周側の後端部についてもそのホールド感を高めるための工夫がなされている。ハンドル部１６の内周後端部には半円弧形状の小指ホールド部３２ｅが設けられている。この小指ホールド部３２ｅは、曲率半径Ｒ４＝約１１ｍｍの概ね半円弧面に形成されている。この曲率半径Ｒ４は、把持した手の小指Ｆ５の付け根付近の太さに合わせて設定されている。この曲率半径Ｒ４についても、約８ｍｍ〜１５ｍｍの範囲で任意に変更することができる。
この小指ホールド部３２ｅに小指Ｆ５の付け根付近をしっかりと押し当てるようにして当該ハンドル部１６を把持することにより、一層そのグリップ性及びホールド感を高めることができる。本実施形態では、この小指ホールド部３２ｅについてもエラストマ製のカバー３０（内周部３２）が取り付けられている。このため、小指Ｆ５の付け根付近をカバー３０の内周部３２にしっくりと押し当てて、かつ小指ホールド部３２ｅにホールドされた状態で当該ハンドル部１６を把持することができ、この点でも当該ハンドル部１６のグリップ性及びホールド感が高められている。
また、本実施形態では、小指Ｆ５の付け根付近が常時この小指ホールド部３２ｅにホールドされ、この状態でスイッチレバー１７の引き操作等を行うことができるよう、当該内周部の主として前後寸法が適切に設定されている。
【００１３】
次に、バッテリパック２０は、バッテリ取り付け部１８に対して前側へスライドさせることにより取り付けることができる。逆に、バッテリパック２０は、バッテリ取り付け部１８から後ろ側へスライドさせることにより取り外すことができる。この際に、前記したようにカバー３０の左右張り出し部３３Ｌ，３３Ｒを滑り止めとして機能させることができる。
バッテリ取り付け部１８の詳細が図６に示されている。このバッテリ取り付け部１８の下面側の左右両側には、左右一対の案内レール部１８ａ，１８ａが一体に設けられている。この左右の案内レール部１８ａ，１８ａに対応して、バッテリパック２０の上面側の左右側部には左右一対の係合突部２０ａ，２０ａが一体に設けられている。バッテリ取り付け部１８に対してバッテリパック２０を前後にスライドさせて、左右の案内レール部１８ａ，１８ａに係合突部２０ａ，２０ａを係脱させることにより、当該バッテリパック２０をバッテリ取り付け部１８に対して取り付け、取り外しすることができる。
図７には、バッテリ取り付け部１８から取り外した状態のバッテリパック２０が単体で示されている。このバッテリパック２０は、電圧１４．４Ｖの充電式リチウムイオンバッテリで、別途用意する充電器で充電して繰り返し使用することができる。
一般にリチウムイオンバッテリは、ニッケル水素バッテリに比して軽量である。例えば、市場で一般的に流通するニッケル水素バッテリで、電圧１４．４Ｖ、公称容量３．３Ａｈのものは重さ１０２０ｇであるのに対して、同じく電圧１４．４Ｖ、公称容量３．０Ａｈのリチウムイオンバッテリは重さ５００ｇ程度であり、約１／２に軽量化されている。従って、リチウムイオンバッテリを電源として用いることによりハンディクリーナ１０を全体として軽量化することができる。
【００１４】
このバッテリパック２０は概ね６面体のブロック体形状を有するもので、その上面には、プラス端子２０ｂとマイナス端子２０ｃをそれぞれ備えた前後に細長い２つの端子溝２０ｂ，２０ｃが設けられている。この端子溝２０ｂ，２０ｃに対応して、バッテリ取り付け部１８には、プラスの接続端子１８ｂとマイナスの接続端子１８ｃが設けられている。プラスの接続端子１８ｂを端子溝２０ｂ内に進入させ、マイナスの接続端子１８ｃを端子溝２０ｃ内に進入させた状態で当該バッテリパック２０をバッテリ取り付け部１８に取り付けることにより、当該バッテリパック２０がクリーナ本体１０の電源回路に電気的に接続される。
バッテリパック２０の上面後部には、上下に進退する係合爪２１が設けられている。この係合爪２１は、後面に設けた取り外しボタン２２を指先で下側へスライド操作することによって下方へ退避させることができる。この係合爪２１は、上方のロック位置側にばね付勢されている。また、この係合爪２１の前部は、当該バッテリパック２０の取り付け動作に伴って退避側へ変位するための傾斜面２１ａが設けられている。
【００１５】
この係合爪２１に対応してバッテリ取り付け部１８の後部には、係合爪２１が係合する係合凹部１８ｄが設けられている。この係合凹部１８ｄ内に係合爪２１が進入すると、バッテリパック２０の取り外し側（後ろ側）への変位が規制されて、バッテリ取り付け部１８に対して当該バッテリパック２０が取り付けた状態にロックされる。
この取り付け状態において、使用者が指先でバッテリパック２０の取り外しボタン２２を下側に移動操作すると、これに伴って係合爪２１が下方へ一体で変位し、係合凹部１８ｄ内から退出する。このため、バッテリパック２０を後ろ側へスライドさせてバッテリ取り付け部１８から取り外すことができる。この場合、使用者はバッテリ取り付け部１８を片手で左右両側から挟むように把持することにより、カバー３０の左右張り出し部３３Ｌ，３３Ｒを滑り止めとして機能させることができ、これによりクリーナ本体１１を確実に固定しておくことができる。
図２、図３及び図５に示すようにバッテリ取り付け部１８の前部から当該クリーナ本体１１の下部に至る範囲で本体ハウジング１４の外形はなだらかに傾斜している。このため、バッテリパック２０をバッテリ取り付け部１８に取り付けた状態では、当該バッテリパック２０の前側に使用者が指先を差し入れるためのスペースＳが発生する。使用者は、このスペースＳに指先を差し入れることによってバッテリパック２０を簡単に後ろ側へ押して取り外すことができる。
【００１６】
以上のように構成した本実施形態のハンディクリーナ１０によれば、ハンドル部１６がループ形を有していることから、その使用時及び持ち運び時の双方について楽に取り扱うことができる等、その機能性及び利便性を発揮させることができる。
しかも、ループ形のハンドル部１６の表面にエラストマ樹脂製のカバー３０が取り付けられているので、ハンドル部１６に十分な滑り止め機能を持たせることができるとともに、使用者は把持した手にしっくりとする感触を楽しみながらハンディクリーナ１０を使用することができ、この点で当該ハンディクリーナ１０の商品価値（付加価値）を高めることができる。
また、カバー３０の上面部３１によって把持した手の主として手の平の滑り止めがなされ、内周部３２の天板部３２ａによって指先の滑り止めがなされるとともに、手の平及び各指先にエラストマ樹脂独特のしっくり感を持たせることができ、この点で当該ハンドル部１６の把持しやすさ（把持感）を一層高めることができ、ひいてはハンディクリーナ１０の付加価値を高めることができる。
特に、カバー３０の上面部３１がハンドル部１６の前部から後部に至るほぼ全範囲に取り付けられていることから、使用者は親指Ｆ１を前方へ延ばした状態で当該ハンドル部１６を把持した場合であっても、親指Ｆ１を上面部３１に押し当ててその滑り止め機能を発揮させることができる。
さらに、内周部３２の天板部３２ａに滑り止め用の小突起３２ｃ〜３２ｃが設けられて滑り止め機能が一層高められるとともに、スイッチレバー１７の後ろ側に突起部３２ｄが設けられて例えば人差し指Ｆ２による引き操作時にその滑り止め機能及び引き操作保持機能を持たせることができる。
【００１７】
また、内周側の後部についてもエラストマ樹脂製のカバー３０（内周部３２）が取り付けられているので、小指Ｆ５を内周側後部に突き当てた状態でこのハンドル部１６を把持して当該ハンディクリーナ１０を下向きにして持ち運ぶ場合に、その重量が作用する小指Ｆ５について滑り止めをしつつしっくりとした接触感を持たせることができ、この点でも当該ハンドル部１６の使用感を高めることができる。
さらに、バッテリ取り付け部１８の左右両側部にカバー３０の張り出し部３３Ｌ，３３Ｒが取り付けられていることから、これを他部位に対する傷つき防止用のガードとして、あるいは当該ハンディクリーナ１０の落下時における衝撃吸収用のバンパーとして機能させることができる。また、バッテリパック２０の取り付け、取り外し時には、両張り出し部３３Ｌ，３３Ｒを介してバッテリ取り付け部１８を両側から挟むようにして把持することにより、当該両張り出し部３３Ｌ，３３Ｒを滑り止めとして機能させることによりクリーナ本体１１を楽に固定しておくことができ、これによりバッテリパック２０交換時の利便性を高めることができる。
なお、例示したカバー３０は、上面部３１と天板部３２ａと底面部３２ｂと左右の張り出し部３３Ｌ，３３Ｒがハンドル部１６の後部から分岐してそれぞれ前方へ延びる状態に設けられている点で、ハンドル部１６に外観上の精悍さを持たせることができ、この点でも当該ハンディクリーナ１０の商品価値を高めることができる。
【００１８】
また、ハンドル部１６の上面の主として中央が大きな曲率半径Ｒ１の円弧面に形成されて把持した手の平にしっくりとなじむ形状となっていることから、当該ハンドル部１６の把持しやすさ（機能性）が一層高められている。また、上面部にエラストマ製カバー３０（上面部３１）が取り付けられ、この上面部３１が手の平に合わせた円弧面に形成されて把持しやくすなっていることから、長時間把持しても疲れが少なく、この点でも当該ハンディクリーナ１０の機能性を高めることができる。
さらに、ハンドル部１６の前部側（人差し指Ｆ２側）が太く、後部側（小指Ｆ５側）がこれよりも細くなっている。このため、小指Ｆ５を含めて５本の指Ｆ１〜Ｆ５でハンドル部１６をしっかりと握ることができ、この点で当該ハンディクリーナ１０の機能性を一層高めることができる。特に、小指Ｆ５側が細くなっていることから使用者は小指Ｆ５でのグリップ感も十分に感ずることができ、この点で使用時及び持ち運び時に使用者の安心感を高めることができる。
また、ハンドル部１６のループ内周側に差し入れた小指Ｆ５の付け根が半円弧形状の小指ホールド部３２ｅに受けられてしっかりとホールドされるので、この点でも使用者は把持状態の安定性を持つことができる。特に、本実施形態の場合、小指Ｆ５の付け根付近がこの小指ホールド部３２ｅに取り付けたエラストマカバー３０（内周部３２）にしっくりと押し付けられることにより、当該ハンドル部１６のホールド性を確実に高めることができる。
このように、例示したハンドル部１６によれば、当該ハンドル部１６を把持した使用者の手の平になじみやすく、かつ後部側が細くなることにより小指Ｆ５も含めた５本の指Ｆ１〜Ｆ５でしっかりと握ることができるとともに、小指Ｆ５の付け根部分が半円弧形の小指ホールド部３２ｅに受けられて使用者は一層良好なホールド感を持って把持することができ、これらの点で当該ハンドル部１６ひいてはハンディクリーナ１０の機能性及び利便性を一層高めることができ、従って商品としての付加価値を高めることができる。
【００１９】
以上説明した実施形態には種々変更を加えることができる。例えば、カバー３０の上面部３１は、把持した手の手の平が接触する範囲についてのみ取り付けてより短くしてもよい。また、内周部３２の底面部３２ｂあるいは左右の張り出し部３３Ｌ，３３Ｒは省略してもよい。
また、上面部３１と内周部３２の天板部３２ａ、底面部３２ｂ及び左右張り出し部３３Ｌ，３３Ｒが当該ハンドル部１６の後部で繋がった形態を例示したが、それぞれ相互に繋がっていない状態に取り付ける構成としてもよい。
バッテリパック２０は例示したリチウムイオンバッテリの他、ニッケルカドミウム電池であってもよい。
また、例示したハンドル部１６のカバー３０は、直流電源式（充電バッテリ式）の他、交流電源タイプのハンディクリーナのループハンドルについても同様に適用することができる。
【符号の説明】
【００２０】
１０…ハンディクリーナ
１１…クリーナ本体
１２…電動モータ
１３…吸引機構
１４…本体ハウジング
１５…吸塵口
１６…ハンドル部、１６ａ…ストラップ
１７…スイッチレバー
１８…バッテリ取り付け部
１８ａ…案内レール部、１８ｂ，１８ｃ…接続端子、１８ｄ…係合凹部
１９…排気口
２０…バッテリパック、２０ａ…係合突部、２０ｂ，２０ｃ…端子溝
２１…係合爪、２１ａ…傾斜面
２２…取り外しボタン
３０…カバー
３１…上面部
３２…内周部
３２ａ…天板部、３２ｂ…底面部、３２ｃ…小突起、３２ｄ…滑り止め突起
３２ｅ…小指ホールド部
３３Ｌ…左側張り出し部、３３Ｒ…右側張り出し部
Ｒ１…ハンド部上面の曲率半径、Ｒ２…ハンドル部前部の曲率半径、Ｒ３…ハンドル部後部の曲率半径、Ｒ４…小指ホールド部の曲率半径
Ｆ１…親指、Ｆ２…人差し指、Ｆ３…中指、Ｆ４…薬指、Ｆ５…小指
【図１】
2010220632.tif 000003
【図２】
2010220632.tif 000004
【図３】
2010220632.tif 000005
【図４】
2010220632.tif 000006
【図５】
2010220632.tif 000007
【図６】
2010220632.tif 000008
【図７】
2010220632.tif 000009
【図８】
2010220632.tif 000010